(57)【特許請求の範囲】
【請求項１】
径方向に所定の範囲ごとに異なった周波数でデータが記録されるディスクに共通のサーボクロックを用いて前記所定の範囲ごとにデータの記録又は再生のタイミングの管理を行い、前記所定の範囲ごとにそれぞれ対応したデータクロックを用いて前記所定の範囲ごとに異なるセクターおよびビットの管理を行ってデータの記録又は再生を行うデータ管理手段を有するディスク装置であって、
前記データ管理手段は、
前記ディスクのセクターの順番を示す第１のカウンターの計数値と、前記セクターにおけるビットの順番を示す第２のカウンターとの計数値に基づいて、前記所定の範囲ごとに、データクロックの基準信号を生成する第１の生成手段と、
前記第２のカウンターに前記所定の範囲に対応する分周比を設定する設定手段と、
前記ディスクのセグメントの順番を示す第３のカウンターの計数値と、前記セグメントにおけるビットの順番を示す第４のカウンターとの計数値に基づいて、サーボクロックの基準信号を生成する第２の生成手段と、
前記データクロックの基準信号と前記サーボクロックの基準信号との位相誤差を補正する位相補正手段と、
前記補正された位相誤差に基づいて前記データクロックを生成するデータクロック生成手段と、を備え、
前記第２のカウンターが前記データクロックを計数してキャリー信号をアサートしたとき前記第１のカウンターが計数を行い、前記第４のカウンターが前記サーボクロックを計数してキャリー信号をアサートしたとき前記第３のカウンターが計数を行うように構成される、
ディスク装置。
【請求項２】
前記データ管理手段は、前記ディスクへの記録又は再生に要する遅延時間を、前記所定の範囲ごとにそれぞれ対応したデータクロックを用いて補償する補償手段を有する、
請求項１に記載のディスク装置。
【請求項３】
前記補償手段は、前記遅延に要する時間を前記サーボクロックの所定周期分として設定して前記遅延時間の補償を行う、
請求項２に記載のディスク装置。
【発明の詳細な説明】
【０００１】
【産業上の利用分野】
本発明は径方向に分割した領域（ゾーン）ごとに異なった周波数でデータが記録されたサンプルサーボ方式の光磁気ディスク等の光ディスク装置に関する。
【０００２】
【従来の技術】
光ディスク、あるいは、光磁気ディスクを使用してデータの記録を行う装置において、ディスクへのデータの書き込み、あるいは、データの読み出し用のクロックを生成するＰＬＬ（位相同期）回路は、例えば特開平３−１５６７７４号公報に開示されたものが知られている。
図１２は、サンプルサーボＣＡＶ（角速度一定）方式により光ディスクに記録されたデータを再生する光ディスク装置に使用される従来のＰＬＬ回路８の構成を示す図である。
【０００３】
図１２において、Ａ／Ｄ変換回路８１は、光ディスクから読み出されたアナログ形式のＲＦ信号をディジタル形式の信号に変換する。
サーボパターン検出部８２は、光ディスクに記録されるサーボパターンを検出する。
カウンタ回路８３は、光磁気ディスク装置がサーボパターンを検出した場合に初期化され、ＶＣＯ８５の出力するクロック信号（Ｃ−ＣＬＫ）を計数し、計数結果をデコーダー８４に入力する。
【０００４】
デコーダー８４は、カウンタ回路８３の計数結果に対応したサンプルパルスを発生し、サンプルホールド回路８８に入力する。
サンプルホールド回路８８は、サンプルパルスに基づいて、Ａ／Ｄ変換回路８１の出力データ列の特定のデータを検出して保持し、演算部８９に入力する。
演算部８９は、ＲＦ信号を演算し、位相エラーデータ、および、トラッキングエラーを検出する。
【０００５】
Ｄ／Ａ変換回路８７は、演算部８９で検出されたＰＬＬエラー信号をアナログ形式の信号に変換する。
位相補償回路８６は、Ｄ／Ａ変換回路８７の出力信号について位相の補償を行う。
電圧制御型発振回路（ＶＣＯ）８５は、位相補償回路８６の出力信号電圧により制御される発振回路であり、Ｃ−ＣＬＫ信号を生成する。
【０００６】
以下、ＰＬＬ回路８の動作を説明する。
光ディスクに記録されたデータ（ピット）から再生されたＲＦ信号は、Ａ／Ｄ変換回路８１でディジタル形式の信号に変換され、サーボパターン検出部８２およびサンプルホールド回路８８に入力される。
サーボパターン検出部８２では、Ａ／Ｄ変換回路８１の出力信号について、例えば「１０００１００」といったサーボパターンを検出してカウンタ回路８３に入力する。
【０００７】
サーボパターン検出部８２の出力波形が論理値１である場合に、カウンタ回路８３は所定値にセットされる。
カウンタ回路８３は、ＶＣＯ８５から出力されるＣ−ＣＬＫ信号を計数してデコーダ８４に入力し、デコーダ８４は所定の計数値においてサンプルパルスを発生する。
このサンプルパルスは、光ディスクのウォブリングピット（ウォブルピット）から検出したＲＦ信号がＡ／Ｄ変換回路８１により変換されるタイミング等で生成され、サンプルホールド回路８８に入力される。
【０００８】
サンプルホールド回路８８は、サンプルパルスが入力された時点のＡ／Ｄ変換回路８１の出力信号、すなわちクロックピット、ウォブリングピットの複数の位置に対応するディジタル形式のＲＦ信号等を保持（ホールドまたはラッチ）する。
演算部８９は、サンプルホールド回路８８でラッチされたＲＦ信号に基づいて、位相エラー信号（ＰＬＬエラー信号）およびトラッキングエラー信号を生成する。
【０００９】
このＰＬＬエラー信号は、Ｄ／Ａ変換回路８７でアナログ形式の信号に変換され、さらに位相補償回路８６で位相補償され、ＶＣＯ８５に入力される。
ＶＣＯ８５は、位相補償回路８６の出力信号に対応した周波数のＣ−ＣＬＫ信号を生成する。
【００１０】
以上の動作により、クロックピットに対応するＲＦ信号に同期し、安定したＣ−ＣＬＫ信号が得られる。
このＣ−ＣＬＫ信号は、ＰＬＬ回路８が用いられる光ディスク装置において、その各部分の基準クロックとして使用される。
【００１１】
【発明が解決しようとする課題】
以上述べた従来のサンプルサーボＣＡＶ方式のディスク記憶媒体は、ディスクの同一の中心角に対応する外周のトラック長は内周のトラック長よりも長いにもかかわらず、同一の中心角に対応するトラックに記憶されるデータ量は同じである。
ここで、外周のトラックにおいてデータを記録する場合、記録を行うクロックの周波数を高くしてデータを記憶し、反対に、内周のトラックにおいてデータを記憶する場合、該クロックの周波数を低くして、外周においても内周においても同一トラック長に対してほぼ同一のデータを記録したいという要請がある。
【００１２】
この要請に対して、例えばディスクをその径方向に複数の領域（ゾーン）に分割して使用し、それらのゾーンごとにデータを記録するクロックの周波数を変更し、ディスクの全面において、同一トラック長に対してほぼ同じ量のデータを記録し、ディスクの記憶容量を大きくする方法が開発されている。
【００１３】
このような記録方法は、ＭＣＡＶ（Ｍｏｄｉｆｉｅｄ  ＣＡＶ）方式、あるいはゾーンＣＡＶ方式と呼ばれている。
ＭＣＡＶ方式においては、ディスクの記憶容量を最大にするために、ゾーンごとに最適化を図っている。
このため、１セクターに含まれるセグメントの数、および、１セグメントに記憶されるデータ量が異なる。
【００１４】
ＣＡＶ方式に対応した従来のＰＬＬ回路は、ディスク全面においてほぼ同一の周波数のクロック信号を生成し、このクロック信号とディスク上に形成されたクロックピットに対応するＲＦ信号の同期をとるように構成されている。
従って、ディスクのゾーンごとに異なる周波数のクロックが必要となるＭＣＡＶ方式のディスクの記録、再生のためには、このままでは使用できないという問題がある。
【００１５】
周波数可変のＰＬＬ回路を使用してＭＣＡＶ方式のディスク記録、再生を行うことは可能である。
しかし上述のように、ＭＣＡＶ方式のディスクはゾーンごとに１セクターに含まれるセグメントの数、１セグメントに含まれるビット数が異なるので、これらをテーブル検索あるいは演算により求め、アクセスするゾーンが変わるごとに、このＰＬＬ回路に該ゾーンに対応する設定を行う必要がある。
【００１６】
また、ゾーンごとにセグメントとセクター、および、これらとビットカウントの対応関係が異なるので、データの記録、再生時には、この対応関係を常に考慮に入れて記録、再生処理を行う必要がある。
このため、上述したＰＬＬ回路へのセグメントとセクター、および、これらとビットカウントの関係を示すパラメータの設定等の処理を、データの記録、再生に係る処理一般を行うディスク装置の制御装置で演算処理により行った場合、その負荷が大きくなり、ひいてはディスク装置の性能低下につながるという問題がある。
【００１７】
本発明は上述した従来技術の問題点に鑑みてなされたものであり、ＭＣＡＶ方式のディスクの記録、再生する際に、径方向に分割した各ゾーンごとに異なる１セクター当たりのセグメント数等のＰＬＬ回路への設定に関する処理量、および、セクター、セグメント、およびビットカウントの対応付けに関するパラメータの設定などの処理量を軽減することができるＰＬＬ回路と、このＰＬＬ回路を用いたＭＣＡＶ方式のディスクの記録、再生に好適なディスク装置を提供することを目的とする。
【００１８】
【課題を解決するための手段】
本発明によれば、径方向に所定の範囲ごとに異なった周波数でデータが記録されるディスクに共通のサーボクロックを用いて前記所定の範囲ごとにデータの記録又は再生のタイミングの管理を行い、前記所定の範囲ごとにそれぞれ対応したデータクロックを用いて前記所定の範囲ごとに異なるセクターおよびビットの管理を行ってデータの記録又は再生を行うデータ管理手段を有するディスク装置であって、
前記データ管理手段は、前記ディスクのセクターの順番を示す第１のカウンターの計数値と、前記セクターにおけるビットの順番を示す第２のカウンターとの計数値に基づいて、前記所定の範囲ごとに、データクロックの基準信号を生成する第１の生成手段と、前記第２のカウンターに前記所定の範囲に対応する分周比を設定する設定手段と、前記ディスクのセグメントの順番を示す第３のカウンターの計数値と、前記セグメントにおけるビットの順番を示す第４のカウンターとの計数値に基づいて、サーボクロックの基準信号を生成する第２の生成手段と、前記データクロックの基準信号と前記サーボクロックの基準信号との位相誤差を補正する位相補正手段と、前記補正された位相誤差に基づいて前記データクロックを生成するデータクロック生成手段と、を備え、
前記第２のカウンターが前記データクロックを計数してキャリー信号をアサートしたとき前記第１のカウンターが計数を行い、前記第４のカウンターが前記サーボクロックを計数してキャリー信号をアサートしたとき前記第３のカウンターが計数を行うように構成される、ディスク装置が提供される。
【００１９】
好ましくは、前記データ管理手段は、前記ディスクへの記録又は再生に要する遅延時間を、前記所定の範囲ごとにそれぞれ対応したデータクロックを用いて補償する補償手段を有する。
【００２０】
また好ましくは、前記補償手段は、前記遅延に要する時間を前記サーボクロックの所定周期分として設定して前記遅延時間の補償を行う。
【００２１】
本発明のディスク装置は、径方向に所定の範囲ごとに異なった周波数でデータが記録されるディスクに共通のサーボクロックを用いて前記所定の範囲ごとにデータの記録又は再生のタイミングの管理を行い、前記所定の範囲ごとにそれぞれ対応したデータクロックを用いて前記所定の範囲ごとに異なるセクターおよびビットの管理を行ってデータの記録又は再生を行うデータ管理手段を有する。
前記データ管理手段は、前記ディスクのセクターの順番を示す第１のカウンターの計数値と、前記セクターにおけるビットの順番を示す第２のカウンターとの計数値に基づいて、前記所定の範囲ごとに、データクロックの基準信号を生成する第１の生成手段と、前記第２のカウンターに前記所定の範囲に対応する分周比を設定する設定手段と、前記ディスクのセグメントの順番を示す第３のカウンターの計数値と、前記セグメントにおけるビットの順番を示す第４のカウンターとの計数値に基づいて、サーボクロックの基準信号を生成する第２の生成手段と、前記データクロックの基準信号と前記サーボクロックの基準信号との位相誤差を補正する位相補正手段と、前記補正された位相誤差に基づいて前記データクロックを生成するデータクロック生成手段と、を備えている。
【００２２】
前記セクターにおけるビットの順番を示す計数値を示す前記第２のカウンターが前記データクロックを計数してキャリー信号をアサートしたとき、前記第１のカウンターが前記ディスクのセクターの順番を示す計数値の計数を行う。
データクロックの基準信号を生成する第１の生成手段は、前記ディスクのセクターの順番を示す第１のカウンターの計数値と、前記セクターにおけるビットの順番を示す第２のカウンターの計数値とに基づいて、データクロックの基準信号を生成する。
前記ディスクのセグメントの順番を示す計数値を計数する前記第４のカウンターが前記サーボクロックを計数してキャリー信号をアサートしたとき、前記セグメントにおけるビットの順番を示す計数値を計数する前記第３のカウンターが計数を行う。
サーボクロックの基準信号を生成する第２の生成手段は、前記ディスクのセグメントの順番を示す第３のカウンターの計数値と、前記セグメントにおけるビットの順番を示す第４のカウンターの計値とに基づいて、サーボクロックの基準信号を生成する。
位相補正手段は、第２の生成手段によって生成されたサーボクロック基準信号と、第１の生成手段によって生成されたサーボクロック基準信号との位相誤差を補正する。
データクロック生成手段号は、位相補正手段において補正された位相誤差に基づいて前記データクロックを生成する。
【００２３】
好ましくは、前記ディスクへの記録又は再生に要する遅延時間を、前記所定の範囲ごとにそれぞれ対応したデータクロックを用いて補償する。
【００２４】
また好ましくは、前記遅延に要する時間を前記サーボクロックの所定周期分として設定して前記遅延時間の補償を行う。
【００２５】
【実施例】
以下、本発明の光ディスク装置の第１の実施例を説明する。
図１は、本発明のディスク記録再生装置１の構成を示す図である。
ディスク記録再生装置１は、光磁気（ＭＯ）ディスク１０にデータを記録し、また、光磁気ディスク１０に記録されたデータを再生する装置であり、特にＤＣＫ用ＰＬＬ回路５に特徴を有している。
なお特に断らない限り、ディスク記録再生装置１の各信号は正論理である。
【００２６】
図１において、光磁気ディスク１０は、ディスク記録再生装置１に使用される記録媒体であり、光磁気的作用によりデータが記録され、また、記録されたデータが読み出される。
光磁気ディスク１０は、例えば１８００ｒｐｍで回転され、データの記録、再生が行われる。
ＣＰＵ６は、例えば汎用マイクロプロセッサ、または信号処理用のディジタルシグナルプロセッサ（ＤＳＰ）とそのＲＯＭ、ＲＡＭ等の周辺回路から構成され、ディスク記録再生装置１全体の処理、データの記録、再生に係る処理一般等を行う。
【００２７】
磁気ヘッド（ＭＨ）１１は、光磁気ディスク１０に記録されるデータを磁気的な信号に変換して、光磁気ディスク１０の該データを記録する位置に印加する。
【００２８】
ディスク記録再生装置１におけるデータの記録は、光磁気ディスク１０にピックアップユニット（ＰＵ）１２からのレーザー光線を照射して、データを記録する位置に熱を加え、さらに磁気ヘッド１１により、該位置の磁界の方向を反転させることにより行われる。
【００２９】
ピックアップユニット１２は、レーザー発光素子（図示せず）と複数の受光素子等から構成され、レーザー発光素子は光磁気ディスク１０にレーザー光線を照射し、それぞれの受光素子は光磁気ディスク１０から反射するレーザー光線を電気的な信号に変換する。
各受光素子からの信号は、光磁気ディスク１０に記録されたデータの再生、データの記録、再生等に使用されるクロック再生等に使用される。
【００３０】
再生アンプ１３は、磁気ヘッド１１からのフォーカスサーボ用の信号を増幅し、フォーカスサーボ回路（ＦｏＥｒｒ）１６に入力する。
再生アンプ１４は、磁気ヘッド１１からのウォブルピット（ウォブリングピット）等に対応するエンボスドピット再生信号（ＰＰＲＦ）を増幅し、スイッチ１８を介してアナログ信号処理回路（ＡＳＰ）１９に入力する。
再生アンプ１５は、光磁気ディスク１０に記憶されたデータの再生に使用されるＭＯ再生信号を増幅し、アナログ信号処理回路１９に入力する。
【００３１】
フォーカスサーボ回路１６は、再生アンプ１３の出力信号を処理してレーザー光線のフォーカスエラーを検出し、このフォーカスエラー信号に基づいてピックアップユニット１２を光磁気ディスク１０の面に対して垂直方向に移動させるフォーカス補正信号を生成し、駆動アンプ１７を介して光磁気ディスク１０に照射されるレーザー光線の焦点制御を行う。
【００３２】
スイッチ１８は、光磁気ディスク１０から再生される信号に同期してエンボスドピット再生信号ＰＰＲＦと光磁気ＲＦ信号ＭＯＲＦのいずれかを選択してＡ／Ｄ変換回路２０以降の回路に入力する。
すなわち、スイッチ１８は、ピックアップユニット１２が光磁気ディスク１０のトラック上のサーボエリアの信号を再生している場合にはＰＰＲＦ信号側を選択し、データエリアを選択している場合にはＭＯＲＦ信号を選択する。
【００３３】
Ａ／Ｄ変換回路２０は、スイッチ２９によって選択されるサーボクロック信号（ＳＣＫ）またはデータクロック信号（ＤＣＫ）に同期して、スイッチ１８により選択されるアナログ形式の前記２種類の再生信号をディジタル形式の信号に変換する。
トラッキングエラー回路２１は、Ａ／Ｄ変換回路２０で変換されたエンボスドピット再生信号ＰＰＲＦに基づいてトラッキングエラーを検出し、このトラッキングエラー信号に基づいてピックアップユニット１２を光磁気ディスク１０の面に対して径方向に移動させるトラッキング補正信号を生成し、駆動アンプ２２を介してレーザー光線の照射位置を光磁気ディスク１０のトラックの中心線に合わせる制御を行う。
【００３４】
アドレス再生回路（Ａｄｄ）２３は、磁気ヘッド１１およびピックアップユニット１２がアクセス中の光磁気ディスク１０のトラック番号およびセクター番号を再生し、ＣＰＵ６に渡す。
パターン検出回路（Ｐａｔ）２４は、図５（Ｃ）に示すピット再生信号（データ）ＰＲを検出してパターン信号ＰＡＴを生成し、上述したサーボクロック（ＳＣＫ）用ＰＬＬ回路、即ちＡ／Ｄ変換回路２０、位相誤差検出回路（ＰＥ）２５、ＬＰＦ２７、および、電圧制御型発振回路（ＶＣＯ）２８によるループを制御する。
【００３５】
位相誤差検出回路（ＰＥ）２５は、エンボスドピットの検出信号とサーボクロック信号（ＳＣＫ）の位相誤差を検出する。
ＬＰＦ２７は、ローパスフィルタまたはループフィルタと呼ばれ、位相誤差検出回路２５の出力信号をフィルタリングし、所定の周波数以下の周波数成分を通過させ、電圧制御型発振回路（ＶＣＯ）２８に入力する。
【００３６】
電圧制御発振回路２８は、ＬＰＦ２７の出力信号電圧に対応した周波数のサーボクロック信号（ＳＣＫ）を生成する。
位相誤差検出回路２５、ＬＰＦ２７、および、電圧制御発振回路２８は、サーボクロック信号（ＳＣＫ）を生成するためのＰＬＬ回路を構成する。
【００３７】
データクロック（ＤＣＫ）用ＰＬＬ回路５は、光磁気ディスク１０についてのデータの読み出し、および、書き込みに使用されるデータクロック信号（ＤＣＫ）およびディスク記録再生装置１で使用されるその他のタイミング信号を生成する。
ＤＣＫ用ＰＬＬ回路５の構成は、図２を参照して後述する。
【００３８】
復調回路（ＤＥＭ）２６は、光磁気（ＭＯ）ＲＦ信号から光磁気ディスク１０に記録されたデータを復調する。
レーザーパルス生成回路（ＰＧ）３０は、データクロック信号（ＤＣＫ）に基づいてデータ書き込みの際のピックアップユニット１２のレーザー発光素子を制御する書き込み用レーザーパルス信号を生成する。
【００３９】
タイミング発生回路３３は、データクロック（ＤＣＫ）用ＰＬＬ回路５で生成されるビットカウント（ｂｉｔＣＮＴ）信号およびセクタカウント（ＳｃｔＣＮＴ）信号に基づいてデータ制御信号を生成し、ＣＰＵ６に渡す。
コマンドラッチ回路（ＣＭＤＬ）３４は、ＣＰＵ６からの命令をラッチする。
パルス発生回路（ＰＧ）３０は、ピックアップユニット１２のレーザー発光素子を制御するレーザー制御信号の発生に使用されるレーザーパルス信号を発生し、ゲート回路３１に入力する。
【００４０】
ゲート回路（Ｇａｔ）３１は、パルス発生回路３０からのレーザーパルス信号について、コマンドラッチ回路３４で保持される命令、および、ＤＣＫ用ＰＬＬ回路５のタイミング発生回路（ＴＧ）５３で発生される読み出しゲート信号と書き込みゲート信号（ＷＧａｔｅ、ＲＧａｔｅ）に従って論理演算を行い、レーザー制御信号を生成する。
なお、このレーザー制御信号には、パルス発生、連続発光、および、無発光の３種類がある。
【００４１】
レーザー駆動回路（ＬＤ）３２は、ゲート回路３１で生成されたレーザー制御信号に基づいてピックアップユニット１２のレーザー発光素子を駆動する。
なお、図１中に図示しないが、レーザー駆動回路３２はレーザー発光素子に供給する電力を制御する回路、および、光磁気ディスク１０に記憶されたデータを読み出す際に使用される高周波信号を生成し、レーザー制御信号に重畳する回路をさらに有し、レーザー発光素子に供給する電力制御と高周波信号の重畳を行っている。
【００４２】
変調回路（ＭＯＤ）３５は、光磁気ディスク１０に記録されるべきデータを  変調して、光磁気ディスク１０に記録可能な形式の記録信号に変換する。
磁気ヘッド駆動回路（ＭＤ）３６は、変調回路３５で生成された記録信号に基づいて磁気ヘッド１１を駆動する。
【００４３】
以下、ＤＣＫ用ＰＬＬ回路５の構成およびその動作を説明する。
図２は、本発明のＤＣＫ用ＰＬＬ回路５の構成を示す図である。
図２において、第１のビットカウンタ（ｂｉｔＣＮＴ）５１、および、セグメントカウンタ（ＳｅｇＣＮＴ）５２は、サーボクロック信号（ＳＣＫ）を計数するカウンタ回路であり、それぞれ下位のカウンタ、上位のカウンタの関係にある。すなわち、第１のビットカウンタ５１は下位のカウンターであり、セグメントカウンタ５２は上位のカウンターである。下位のカウンターと上位のカウンターの関係は、ＤＣＫ用ＰＬＬ回路５の動作の記述に関連させて後述する。
【００４４】
第１のビットカウンタ５１およびセグメントカウンタ５２は、パターン検出回路２４から出力されるパターン信号ＰＡＴがアサートされた場合に計数を行う。
なお、図解の簡略化のため図示を省略したが、ＤＣＫ用ＰＬＬ回路５の各カウンタ５１、５２、５８、５９、６０の計数値は、ＣＰＵ６から読み出せるように構成されている。
【００４５】
第１のタイミング発生回路５３は、書き込みゲート信号（ＷＧａｔｅ）、読み出しゲート信号（ＲＧａｔｅ）信号（Ｒ／ＷＧａｔｅ）、サーボ用制御信号、アドレス用制御信号、および、サーボクロック信号（ＳＣＫ）の基準信号等といったサーボクロック信号（ＳＣＫ）用のタイミング信号を生成する。
第２のビットカウンタ５８は、データクロック信号（ＤＣＫ）を計数するカウンタ回路であり、ＣＰＵ６により計数値がゾーンごとに変更される。
第３のビットカウンタ５９、および、セクタカウンタ（ＳｃｔＣＮＴ）６０は、データクロック信号（ＤＣＫ）を計数するカウンタ回路であり、第３のビットカウンタ５９とセクタカウンタ６０は、それぞれ下位のカウンタ、上位のカウンタの関係にある。すなわち、第３のビットカウンタ５９は下位のカウンターであり、セクタカウンタ６０は上位のカウンターである。下位のカウンターと上位のカウンターの関係は、ＤＣＫ用ＰＬＬ回路５の動作の記述に関連させて後述する。
【００４６】
第２のタイミング発生回路５４は、第２のビットカウンタ５８の計数値、および、タイミング発生回路５３から入力されるＷ／ＲＧａｔｅ信号に基づいてデータクロック信号（ＤＣＫ）の基準信号等の各種信号を生成する。
位相比較回路５５は、タイミング発生回路５３、５４からそれぞれ入力されるデータクロック信号（ＤＣＫ）の基準信号とサーボクロック信号（ＳＣＫ）の基準信号との位相を比較し、誤差信号をＬＰＦ５６に入力する。
【００４７】
ＬＰＦ５６は、位相比較回路５５から出力される誤差信号の位相補正を行う。
電圧制御発振回路（ＶＣＯ）５７は、ＬＰＦ５６から出力される信号の電圧に対応した周波数のクロック信号（データクロック信号（ＤＣＫ））を生成する。
【００４８】
論理回路６１〜６３は、それぞれ第２のタイミング発生回路５４から出力されるデータイネーブル信号（ｄａｔａｅｎ）、セグメント初期信号（ｉｎｉｔｓｅｇ）、回転初期信号（ｉｎｉｔｒｅｖ＃１）について論理演算を行い、リセット信号（ｒｓｔ＃２）、イネーブル信号（ｅｎ）を生成する。
論理回路６１〜６３の論理は、それぞれ図２に図示する通りである。
【００４９】
以下、ＤＣＫ用ＰＬＬ回路５の動作を説明する。
サーボクロック信号（ＳＣＫ）用のＰＬＬ回路で生成されるサーボクロック信号（ＳＣＫ）は、ＤＣＫ用ＰＬＬ回路５の第１のビットカウンタ５１およびセグメントカウンタ５２で計数される。
ここで、サーボクロック信号（ＳＣＫ）は、ゾーン０におけるデータクロック信号（ＤＣＫ）に同じなので、第１のビットカウンタ５１はサーボクロック信号（ＳＣＫ）を３２０回カウントするごとに、そのリップルキャリー（ｒｃ）信号をアサートしてイネーブル信号（ｅｎ）としてセグメントカウンタ５２に入力する。
【００５０】
セグメントカウンタ５２は、イネーブル信号（ｅｎ）がアサートされた場合にのみサーボクロック信号（ＳＣＫ）を計数する。
従って、第１のビットカウンタ５１の計数値はセグメント内のビットを表し、セグメントカウンタ５２の計数値はセグメントを表す。
【００５１】
第１のビットカウンタ５１の計数値およびセグメントカウンタ５２の計数値はタイミング発生回路５３に入力される。
タイミング発生回路５３は、第１のビットカウンタ５１およびセグメントカウンタ５２の計数値、および、サーボクロック信号（ＳＣＫ）に基づいて、Ｒ／ＷＧａｔｅ信号、および、サーボクロック信号（ＳＣＫ）を８分周したサーボクロック（ＳＣＫ）基準信号等を生成する。
【００５２】
第２のビットカウンタ５８は、ＣＰＵ６により設定されるゾーン情報に従って、データクロック信号（ＤＣＫ）を（８＋ｎ）分周してＤＣＫ基準信号を生成する。
ここで、ｎはディスク記録再生装置１がアクセスする光磁気ディスク１０のゾーン番号（０〜８）である。
【００５３】
第２のタイミング発生回路５４は、タイミング発生回路５３から入力されるＷ／ＲＧａｔｅ信号、および、データクロック信号（ＤＣＫ）に基づいて光磁気ディスク１０が一回転するごとに一回生成される回転初期信号（ｉｎｉｔｒｅｖ＃１）、セグメントのサーボエリアを示すセグメント初期信号（ｉｎｉｔｓｅｇ）、および、各セグメントのデータエリアを示すデータイネーブル信号（ｄａｔａｅｎ）を生成する。
【００５４】
これらの信号、および、第３のビットカウンタ５９がデータクロック信号（ＤＣＫ）を５１２０回計数するたびにアサートされるリップルキャリー（ｒｃ）信号は論理回路６１〜６３により論理演算され、論理回路６１から第３のビットカウンタ５９の計数を許可する（ｅｎ）、論理回路６２から第３のビットカウンタ５９の計数をリセット（ｒｓｔ）し、セクタカウンタ６０の計数を許可する（ｅｎ）信号、論理回路６３からセクタカウンタ６０をリセットする（ｒｓｔ＃２）信号が入力される。
【００５５】
これらの信号が入力される第３のビットカウンタ５９は、データエリアのデータクロック信号（ＤＣＫ）を、第３のビットカウンタ５９自身のリップルキャリーがアサートされない場合に５１２０回計数する。
ここで、第１の実施例の光磁気ディスク１０においては、後述するように１セクタに５１２０ビットのデータが記録されており、第３のビットカウンタ５９の計数値はセクタにおけるビットの順番を表す。
【００５６】
また、セクタカウンタ６０は、光磁気ディスク１０のサーボエリアにおいて、第３のビットカウンタ５９がリップルキャリーをアサートしている場合に計数を行うので、セクタカウンタ６０の計数値はセクターの順番を表す。
【００５７】
第１のタイミング発生回路５３から出力されたサーボクロック（ＳＣＫ）基準信号および第２のタイミング発生回路５４から出力されたデータクロック（ＤＣＫ）基準信号は、位相比較回路５５で位相比較され、この位相比較結果（位相誤差）はＬＰＦ５６に入力される。
電圧制御発振回路５７は、ＬＰＦ５６の出力電圧に対応した周波数のデータクロック信号（ＤＣＫ）を生成して出力する。
【００５８】
以上述べたように、従来のＰＬＬ回路と異なり、本発明の第１実施例のデータクロック（ＤＣＫ）用ＰＬＬ回路５は、ＣＰＵ６から第２のビットカウンタ５８にゾーン対応の分周比を設定するのみで、そのゾーンにおけるデータクロック信号（ＤＣＫ）を生成可能である。
さらに、ＣＰＵ６は、各カウンタ５１、５２、５８、５９、６０の値を読み出すことにより、各ゾーンで異なるセクタ、セグメント、および、ビットの関係を管理することができるので、従来必要であった、これらの関係の管理のための処理は不要である。
よって、ＣＰＵ６の処理負荷を軽減することが可能である。
なお、上述した第３のビットカウンタ５９のリップルキャリー信号、回転初期信号（ｉｎｉｔｒｅｖ）等のタイミングは、図１０を参照して後述する。
【００５９】
以下、各図を参照してＭＣＡＶ方式の説明、および、ディスク記録再生装置１の動作を説明する。
まず、ＭＣＡＶ方式を説明する。
図３は、光磁気ディスクの径方向の位置とトラック長の関係を説明する図である。
図３において、（Ａ）に示す外周側トラックは、光磁気ディスクにおいて、中心から径方向にｒの位置にあり、中心角θに対応する。
（Ｂ）に示す内周側トラックは、中心から径方向にｒ／２の位置にあり、中心角θに対応する。
【００６０】
従来のＣＡＶ方式の光磁気ディスクは、そのいずれの場所にアクセスされる場合にも同一の回転速度で回転され、また、同一周波数の記録再生用クロックが使用され、各トラック上において中心角に対して一定のデータが記録されていた。
すなわち、外周側のトラックと内周側のトラックは同一中心角に対応するので、外周側のトラックは内周側のトラックに比べて２倍の長さがあるにもかかわらず、この両者は同一の量のデータを記録する。
【００６１】
一方、ＭＣＡＶ方式の光磁気ディスクは以下に説明するように、そのいずれの場所にアクセスされる場合にも同一の回転速度で回転され、また、光磁気ディスクを複数の領域（ゾーン）に分割され、各ゾーンごとにデータを記録再生するデータクロック信号（ＤＣＫ）の周波数を変更することにより、同一トラック長について光磁気ディスク全面でほぼ同一のデータを記録する。
【００６２】
図４は、光磁気ディスク１０のゾーン分割を説明する図である。
図４において、光磁気ディスク１０は、径方向に同じ長さごとにゾーン０〜８に９分割されている                                                        ここで、ゾーン０の内周の半径、および、ゾーン８の内周の半径はそれぞれｒ／２、ｒである。
【００６３】
ここで、光磁気ディスク１０はいずれの場所にアクセスされる場合も一定の回転数で回転され、ゾーン８においては、ゾーン０におけるデータクロック信号（ＤＣＫ）の１６／８倍の周波数のデータクロック信号（ＤＣＫ）を使用してデータの書き込み、および、読み出しが行われる。
【００６４】
また、ゾーン８においては、ゾーン０におけるデータクロック信号（ＤＣＫ）の１６／８倍の周波数のデータクロック信号（ＤＣＫ）を使用してデータの書き込み、および、読み出しが行われるといった関係が各ゾーンについて成立する。  つまり、あるゾーンにおいては、その内周の半径とゾーン０の内周の半径との比の値に比例した周波数のデータクロック信号（ＤＣＫ）を使用してデータの書き込み、および、読み出しが行われる。
【００６５】
この関係を表１を参照して説明する。
【表１】
表１は、ＭＣＡＶ方式の光磁気ディスク１０のゾーン（領域）ごとの１セグメント当たりのデータ量、１セクタ当たりのセグメント数、各ゾーンのゾーン０に対する記録再生周波数（ｆｄｃｋ）の関係を示す表である。
【００６６】
サンプルサーボ方式によって光磁気ディスク１０についてデータの読み出し、書き込みを行う場合、セグメントは、光磁気ディスク１０の中心角に対応して設けられるので、各ゾーンの１セグメント当たりのデータ量、および、１セクタ当たりのセグメント数に差が生じる。
【００６７】
また、光磁気ディスク１０においては、ユーザーデータは５１２バイト単位で取り扱われ、ユーザーデータには、例えば誤り訂正符号（ＥＣＣ）等が７８バイト、抜き取りしきい値情報、および、再生クロック位相補正情報が４０バイト付加されるので、１セクター当たり６４０バイト（５１２０ビット）のデータが記録される。
【００６８】
内周側のゾーンにおいては、外周側のゾーンにおける同一トラック長当たりのデータ量が同じであるにもかかわらず１セグメント当たりのトラック長が短くなるので、１セグメント当たりのデータ量は少なくなる。
また、外周側のゾーンにおいは、この逆の関係が成立するので、表１の１セグメント当たりのデータの欄に示す関係が成り立つ。
ここで、各ゾーンに対応するデータ量を３２０＝４０×８のように記載したのは、記録周波数との対応を明確に示すためである。
【００６９】
また、１セクタに同一のデータ量を記録する必要がある一方、内周側のゾーンほど１セグメント当たりのデータ量が少ないので、１セクタ当たりのセグメント数は、内周側のゾーンのセクタほど多くなる。
また、外周側のゾーンにおいては、この逆の関係が成立するので、表１の１セクタ当たりのセグメント数の欄に示す関係が成り立つ。
また、各ゾーンの記録（再生）周波数は、上述のようにゾーンの内周の半径に比例するので、表１の記録周波数（ｆｄｃｋ）の欄に示す関係が成り立つ。
【００７０】
図５は、光磁気ディスク１０のセグメント構成および各セグメントのサーボエリアの構成を示す図である。
図６は、サーボエリアから得られる信号の波形とクロックとの関係を示す図である。
図５において、（Ａ）は、ゾーン０のセグメント構成を示し、（Ｂ）は、ゾーン８のセグメント構成を示し、（Ｃ）は、各セグメントのサーボエリアのピットの構成を示す。
【００７１】
図５（Ａ）、（Ｂ）に示すように、各セクタはヘッダセグメントとデータセグメントとから構成され、各データセグメントはトラッキング制御、フォーカス制御等に使用される信号が記録されたサーボエリアと、データ本体が記録されるデータエリアから構成される。
【００７２】
各サーボエリアには、トラック中心上に設けられたクロックピット（ＣＰ）、およびトラック中心からずれた位置に設けられたウォブルピット（ＷＰ）があり、ディスク記録再生装置１は、これらのピットから得られる信号に基づいてクロック再生を行ってサーボクロック信号（ＳＣＫ）およびデータクロック信号（ＤＣＫ）を生成し、また、フォーカス制御、および、トラッキング制御を行う。
【００７３】
サーボエリアのこれらのピットはサーボエリアの先頭を１ビット目として、図中に示す位置に設けられおり、トラッキングエリアからの反射レーザー光線はピックアップユニット１２で図６に示すような電気的な再生信号に変換される。
なお、この再生信号についてａ０〜ａ２、ｂ１〜ｂ２、および、ｃ０〜ｃ２に示す各点とサーボクロック信号（ＳＣＫ）との関係は、図中に示す通りである。
なお、データエリアにはデータ本体（ＤＡＴＡ）に先立って６ビット分のＰＲデータが書き込まれ、また、データ本体にはＰＯデータが後置されている。
【００７４】
以下、ディスク記録再生装置１の動作を説明する。
図７は、Ｗ／ＲＧａｔｅ信号とレーザー制御信号等のタイミングを示すタイミングチャートである。
図８は、ｄｅｔａｅｎ信号とデータクロック信号（ＤＣＫ）等のタイミングを示すタイミングチャートである。
なお、図７および図８において、書き込みデータ用基準信号を重複して記載し、両図のタイミングの関係を明確化している。
図９は、書き込みデータ基準信号と読み出しデータ基準信号等のタイミングを示すタイミングチャートである。
【００７５】
図７、図８を参照してディスク記録再生装置１が光磁気ディスク１０にデータを書き込む際の動作を説明する。
図７において、書き込みを行う際の読み出しゲート（ＲＧａｔｅ）信号は、サーボエリアの信号を読み出すタイミングでアサートされる。
一方、書き込みゲート（ＷＧａｔｅ）信号は、ＷＧａｔｅ基準信号に同期して、データエリアにアクセスするタイミングでアサートされる。
なお、ＷＧａｔｅ基準信号は、タイミング発生回路５３内部で使用される信号であり、図１および図２には図示されていない。
【００７６】
レーザパワー制御信号（ＬＤＰ）信号は、データクロック（ＤＣＫ）用ＰＬＬ回路５のタイミング発生回路５３で生成される信号であり、レーザー駆動回路３２からピックアップユニット１２のレーザー発光素子に供給する電力を制御する信号である。
ＬＤＰ信号がアサートされている場合、レーザー駆動回路３２はパルス発生用のレーザー制御信号（ＬＤＤ）を生成し、レーザー発光素子に供給する電力を多くしてレーザー光線の強度を強くさせ、光磁気ディスク１０への書き込み用のレーザー光線を出力させる。
【００７７】
従って、ピックアップユニット１２には書き込みゲート信号（ＷＧａｔｅ）がアサートされている場合、電力が強くパルス状のＬＤＤ信号が入力されるので、そのレーザー発光素子は強度の強いパルス状のレーザー光線を光磁気ディスク１０の照射する。
この書き込み用レーザー光線と磁気ヘッド１１から印加される書き込み（ＭＨＤ）信号の光磁気的作用により光磁気ディスク１０にデータが書き込まれる。
【００７８】
反対に、ＬＤＰ信号がネゲートされている場合、レーザー駆動回路３２は連続発光用のＬＤＤ信号を生成し、レーザー発光素子に供給する電力を少なくしてレーザー光線の強度を弱くさせ、光磁気ディスク１０への読み出し用のレーザー光線を出力させる。
【００７９】
従って、ピックアップユニット１２には読み出しゲート信号（ＲＧａｔｅ）信号がアサートされている場合、電力が弱く連続的なＬＤＤ信号が入力されので、そのレーザー発光素子は、強度の弱い連続的な読み出し用レーザー光線を光磁気ディスク１０に照射し、その反射光によりピックアップユニット１２はサーボエリアの同期用信号を読み出すことができる。
ディスク記録再生装置１は、この同期用信号に基づいてデータを光磁気ディスク１０に書き込む際の同期をとる。
【００８０】
図８において、データセットアップは、書き込みデータの入出力、変調回路３５での書き込みデータの変調等の処理に要する時間であり、このデータセットアップの長さはデータクロック信号（ＤＣＫ）に依存するので、ゾーンごとにＷＧａｔｅとのタイミング関係が異なる。
そこで、例えば変調回路３５およびゲート回路３１にシフトレジスタを設け、図７に示すＬＤＤ信号およびＭＨＤ信号の送出が、常に書込データ基準信号からサーボクロック信号（ＳＣＫ）で一定周期分の遅延した時点で行われるようにする。
【００８１】
例えば、データセットアップの長さがデータクロック信号（ＤＣＫ）の８周期分である場合、データセットアップの時間をサーボクロック信号（ＳＣＫ）８周期分に設定することにより、全てのゾーンにおいて書き込みデータの入出力とＬＤＤ信号およびＭＨＤ信号の出力との間の時間遅延を吸収することができる。
つまり、この遅延がデータクロック信号（ＤＣＫ）ｋ周期分の遅延である場合、データセットアップの時間をデータクロック信号（ＤＣＫ）ｋ周期分とする。
【００８２】
すなわち、ゾーン０においては、サーボクロック信号（ＳＣＫ）の周期とデータクロック信号（ＤＣＫ）の周期が等しく、この例においてはサーボクロック信号（ＳＣＫ）８周期分のデータセットアップ時間を設ければデータが欠けてしまうことはない。
ゾーン０以外においては、データクロック信号（ＤＣＫ）の周期はサーボクロック信号（ＳＣＫ）の周期に比べて短いので、ゾーン０の場合と同様にサーボクロック信号（ＳＣＫ）８周期分のデータセットアップ時間を設ければデータが欠けてしまうことはない。
【００８３】
従って、書き込みデータ基準信号を、ＤＣＫ基準信号に対してサーボクロック信号（ＳＣＫ）で８周期分早いタイミングでアサートする。
図９に示す書き込みデータ基準位置１、２についても同様に考えると、書き込みデータ用データ基準位置１とデータ基準位置２の間は、ＷＧａｔｅがアサートされた時間、すなわち、データエリアの長さに等しくなる。
【００８４】
また、書き込みデータ基準信号と書き込みゲート信号（ＷＧａｔｅ）間の遅延時間をサーボクロック信号（ＳＣＫ）８ｎ（ｎは整数）とすれば、データイネーブル信号（ｄａｔａｅｎ）のアサートおよびネゲートの際にはサーボクロック信号（ＳＣＫ）とデータクロック信号（ＤＣＫ）の位相が一致するので、ｄａｔａｅｎ信号とサーボクロック信号（ＳＣＫ）の位相差は、データクロック信号（ＤＣＫ）に同期した処理を行うことにより吸収可能である。
図８に示す書き込み時のデータイネーブル信号（ｄａｔａｅｎ）は、上述のように生成された信号である。
【００８５】
以下、ディスク記録再生装置１において、光磁気ディスク１０からのデータの読み出す場合の動作を説明する。
光磁気ディスク１０へのデータの書き込みの場合は、書き込みゲート信号（ＷＧａｔｅ）にデータセットアップに示した時間だけ早く、書き込みデータを用意したが、読み出し時には反対に、アナログ信号処理回路１９、Ａ／Ｄ変換回路２０、および復調回路２６での処理のために時間がかかり、光磁気ディスク１０からの信号が読み出されてからデータが出力されるまでに遅延が生じる。
【００８６】
従って、データを読み出す際には、データを書き込む場合とは逆に、図８に示すようにデータ遅延を与えてデータイネーブル信号（ｄａｔａｅｎ）を生成する。
このデータ遅延の長さは、書き込み時のデータセットアップ時間と同様に、第１の実施例ではサーボクロック信号（ＳＣＫ）で８ｎ周期分である。
【００８７】
図１０は、セグメント終了信号とセクタカウンタ６０の計数値等のタイミングを示すタイミングチャートである。
なお、図９および図１０おいてサーボエリア、および、データエリアのタイミングを重複して示し、両図のタイミングの関係を明確化している。
図１０はＤＣＫ用ＰＬＬ回路５のタイミング発生回路５４で生成される各信号のタイミングを示す図である。
なお、図１０において黒く塗ってある部分は、データが記録されない範囲を示している。
【００８８】
セグメント初期信号（ｉｎｉｔｓｅｇ）は、各セグメントのサーボエリアの位置でアサートされ、回転初期信号（ｉｎｉｔｒｅｖ）は、光磁気ディスク１０の１回転につき１回アサートされる。
第３のビットカウンタ５９およびセクタカウンタ６０は、回転初期信号（ｉｎｉｔｒｅｖ）がアサートされ、かつ、セグメント初期信号（ｉｎｉｔｓｅｇ）がアサートされた場合にリセットされる。
【００８９】
リップルキャリー信号は、第３のビットカウンタ５９が５１２０回ＤＣＫを計数した場合にアサートされ、この信号がアサートされ、かつ、セグメント初期信号（ｉｎｉｔｓｅｇ）がアサートされた場合にセクタカウンタ６０がカウントアップされる。
ここで、第３のビットカウンタ５９の計数値は、例えばゾーン７の場合について示してあり、この場合、図中において黒く塗って示すように、セクタの最後部から次のセクタのデータエリアまではデータの記憶に使用されない場合がある。
ＭＣＡＶ方式においては、セクタの終わり、すなわちデータクロック（ＤＣＫ）で５１２０ビット目がセグメントの終わりになるとは限らないためである。
【００９０】
以下、本発明の第２の実施例を説明する。
第２実施例のデータクロック（ＤＣＫ）用ＰＬＬ回路７は、上述した第１実施例のデータクロック（ＤＣＫ）用ＰＬＬ回路５のセクタカウンタ６０の初期化方法を変更したものである。
図１１は、第２の実施例におけるＤＣＫ用ＰＬＬ回路７の構成を示す図である。
図１１において、論理回路７０は、セグメント初期信号（ｉｎｉｔｓｅｇ）、ロードセクタ信号（ｌｄｓｃｔ）、および、イネーブルロード信号（ｅｎｌｏａｄ）についてＡＮＤ演算を行い、セクタカウンタ６０に対するリセット信号を生成する。
【００９１】
比較回路（ＣＭＰ）７２は、セグメントカウンタ５２とレジスタ７３に設定された比較セグメント値を比較し、一致した場合にイネーブルロード信号（ｅｎｌｏａｄ）をアサートする。
レジスタ７３は、ＣＰＵ６により設定される比較セグメント値、ビット信号であるロードセグメント信号（ｌｄｓｅｇ）およびイネーブルロード信号（ｅｎｌｏａｄ）を保持する。
その他のＤＣＫ用ＰＬＬ回路７の各部分は、ＤＣＫ用ＰＬＬ回路５について同一符号を付した各部分に同じである。
【００９２】
以下、ＤＣＫ用ＰＬＬ回路７の動作を説明する。
ＣＰＵ６は、比較セグメント値、ロードセグメント信号（ｌｄｓｅｇ）およびイネーブルロード（ｅｎｌｏａｄ）をレジスタ７３に設定する。
このイネーブルロード（ｅｎｌｏａｄ）がアサートされている（論理値１である）場合に以下の動作を行う。
セグメントカウンタ５２により計数されるセグメント番号と、レジスタ７３に記憶された比較セグメント値を比較し、両者が一致した場合にロードセクタ信号（ｌｄｓｃｔ）をアサートする。
【００９３】
この場合において、セグメント初期信号（ｉｎｉｔｓｅｇ）がアサートされた場合に、ロード信号（ｌｄ）がアサートされ、レジスタ７３に記憶されたセクタ番号がセクタカウンタ６０に設定される。
このように構成することにより、ディスク記録再生装置１が光磁気ディスク１０の所定のゾーンにアクセスした場合に、光磁気ディスク１０が一回転するごとに１回しかアサートされない回転初期信号（ｉｎｉｔｒｅｖ）を待たずに光磁気ディスク１０についてデータの記録再生を行うことが可能である。
【００９４】
以上述べた他、本発明の光ディスク装置は、例えば光磁気ディスク１０の回転数を３６００ｒｐｍとする等、種々の構成を取ることが可能である。
【００９５】
【発明の効果】
以上述べたように本発明の光ディスク装置によれば、ディスク記録再生装置の制御装置がデータクロック（ＤＣＫ）用ＰＬＬ回路に計数値を設定するだけで、ＭＣＡＶ方式の光磁気ディスクの記録再生に必要となる周波数の異なるクロック信号を生成可能である。
また、このＤＣＫ用ＰＬＬ回路がディスク記録再生装置のアクセスする光磁気ディスクのセクタ、セグメント、ビットを計数するので、ディスク記録再生装置の制御回路はこれらの管理を行う必要がない。
よって、ディスク記録再生装置の制御回路の付加を減らすことが可能であり、ディスク記録再生装置を動作させるソフトウェアの開発が簡単になる。
【図面の簡単な説明】
【図１】  本発明のディスク記録再生装置の構成を示す図である。
【図２】  本発明の第１実施例のＤＣＫ用ＰＬＬ回路の構成を示す図である。
【図３】  光磁気ディスクの径方向の位置とトラック長の関係を説明する図である。
【図４】  光磁気ディスクのゾーン分割を説明する図である。
【図５】  光磁気ディスクのセグメント構成および各セグメントのサーボエリアの構成を示す図である。
【図６】  サーボエリアから得られる信号の波形とクロックとの関係を示す図である。
【図７】  書き込みゲート信号（ＷＧａｔｅ）とレーザー制御信号等のタイミングを示すタイミングチャートである。
【図８】  ｄｅｔａｅｎ信号とデータクロック信号（ＤＣＫ）等のタイミングを示すタイミングチャートである。
【図９】  書き込みデータ基準信号と読み出しデータ基準信号等のタイミングを示すタイミングチャートである。
【図１０】  セグメント終了信号とセクタカウンタの計数値等のタイミングを示すタイミングチャートである。
【図１１】  本発明の第２の実施例におけるＤＣＫ用ＰＬＬ回路の構成を示す図である。
【図１２】  サンプルサーボＣＡＶ（角速度一定）方式により光ディスクに記録されたデータを再生する光ディスク装置に使用される従来のＰＬＬ回路の構成を示す図である。
【符号の説明】
１・・・ディスク記録再生装置
５、７・・・ＤＣＫ用ＰＬＬ回路
５１、５８、５９・・・第１〜第３のビットカウンタ
５２・・・セグメントカウンタ
５３、５４・・・タイミング発生回路
５５・・・位相比較回路、５６・・・ＬＰＦ
５７・・・電圧制御発振回路
６０・・・セクタカウンタ
６１〜６３、７０・・・論理回路
７２・・・比較回路、７３・・・レジスタ
６・・・ＣＰＵ
１０・・・光磁気ディスク、１１・・・磁気ヘッド
１２・・・ピックアップユニット、１３〜１５・・・再生アンプ
１６・・・フォーカスサーボ回路、１７・・・ディスク記録再生装置
１８、２９・・・スイッチ、１９・・・アナログ信号処理回路
２０・・・Ａ／Ｄ変換回路、２１・・・トラッキングエラー回路
２２・・・駆動アンプ、２３・・・アドレス再生回路
２４・・・パターン検出回路、２５・・・位相誤差検出回路
２６・・・復調回路、２７・・・ＬＰＦ、２８・・・電圧制御発振回路
３０・・・パルス発生回路、３１・・・ゲート回路、
３２・・・レーザー駆動回路、３３・・・タイミング発生回路、
３４・・・コマンドラッチ回路、３５・・・変調回路
３６・・・磁気ヘッド駆動回路
【図１】
0004001934.tif 000002
【図２】
0004001934.tif 000003
【図３】
0004001934.tif 000004
【図４】
0004001934.tif 000005
【図５】
0004001934.tif 000006
【図６】
0004001934.tif 000007
【図７】
0004001934.tif 000008
【図８】
0004001934.tif 000009
【図９】
0004001934.tif 000010
【図１０】
0004001934.tif 000011
【図１１】
0004001934.tif 000012
【図１２】
0004001934.tif 000013